(57)【要約】【課題】送電鉄塔の地際部材の腐食・発錆を抑止することができる鉄塔地際部材腐食防止装置および方法を提供する。【解決手段】腐食防止装置１０は、下面に吐出口１１ａが形成された本体１１と、本体１の上に設けられた、かつ、２方向から風を本体１１内に取り込むための第１および第２の風取込部１２Ａ，１２Ｂと、本体１１の上部に設けられるとともに送電鉄塔の主柱材３の外面を伝わって流れ落ちる雨水を本体１１内に取り込むための雨水取込部１３と、腐食防止装置１０を送電鉄塔の鉄塔地際部の主柱材３の内側に取り付けるための取付具１５とを具備し、第１および第２の風取込部１２Ａ，１２Ｂで本体１１内に取り込んだ風および雨水取込部１３で本体１１内に取り込んだ雨水を吐出口１１ａから下方に向けて吹き出すことにより、鉄塔地際部の通気性を良くするとともに鉄塔地際部に土砂や落ち葉等を堆積させないようにしている。【選択図】図１
2017082547.tif 000002
【特許請求の範囲】
【請求項１】
山形鋼からなる主柱材（３）を備えた送電鉄塔の地際部材の腐食・発錆を防止するための鉄塔地際部材腐食防止装置（１０；２０）であって、
下面に吐出口（１１ａ；２１ａ）が形成された本体（１１；２１）と、
該本体の上に設けられた、かつ、２方向から風を該本体内に取り込むための第１および第２の風取込部（１２Ａ，１２Ｂ；２２Ａ，２２Ｂ）と、
前記本体の上部に設けられた、かつ、前記主柱材の外面を伝わって流れ落ちる雨水を前記本体内に取り込むための雨水取込部（１３；２３）と、
前記鉄塔地際部材腐食防止装置を前記送電鉄塔の鉄塔地際部の前記主柱材の内側に取り付けるための取付具（１５；２５）とを具備し、
前記第１および第２の風取込部で前記本体内に取り込んだ風および前記雨水取込部で該本体内に取り込んだ雨水を前記吐出口から下方に向けて吹き出すことにより、前記鉄塔地際部の通気性を良くするとともに該鉄塔地際部に土砂や落ち葉等を堆積させないようにした、
ことを特徴とする、鉄塔地際部材腐食防止装置。
【請求項２】
前記第１および第２の風取込部に、風を取り込むための開口面が形成されており、
前記第１および第２の風取込部の前記開口面よりも内側に、蜂や虫等が該第１および第２の風取込部内に入らないようにするための第１および第２の網（１４Ａ，１４Ｂ；２４Ａ，２４Ｂ）が取り付けられており、
前記雨水取込部に、雨水を取り込むための他の開口面が形成されており、
前記雨水取込部の前記他の開口面近傍に、蜂や虫等が該雨水取込部内に入らないようにするための第３の網（１４Ｃ；２４Ｃ）が取り付けられている、
ことを特徴とする、請求項１記載の鉄塔地際部材腐食防止装置。
【請求項３】
前記取付具が、クリップ状の形状を有するとともに、前記第１および第２の風取込部の側面の前記開口面と前記第１および第２の網との間に取り付けられていることを特徴とする、請求項２記載の鉄塔地際部材腐食防止装置。
【請求項４】
請求項１乃至３いずれかに記載の鉄塔地際部材腐食防止装置（１０）と、
該鉄塔地際部材腐食防止装置と左右対称な構成の他の鉄塔地際部材腐食防止装置（２０）とを具備し、
前記鉄塔地際部材腐食防止装置および前記他の鉄塔地際部材腐食防止装置を前記送電鉄塔の鉄塔地際部の内側の左右にそれぞれ取り付けて、４方向からの風および前記送電鉄塔の前記主柱材の左側および右側の外面を伝わって流れ落ちる雨水を該鉄塔地際部材腐食防止装置および該他の鉄塔地際部材腐食防止装置で取り込んで下方に向けて吹き出すことにより、前記鉄塔地際部の通気性を良くするとともに該鉄塔地際部に土砂や落ち葉等を堆積させないようにした、
ことを特徴とする、鉄塔地際部材腐食防止方法。
【発明の詳細な説明】
【技術分野】
【０００１】
本発明は、送電鉄塔に使用するのに好適な鉄塔地際部材腐食防止装置および方法に関する。
【背景技術】
【０００２】
送電鉄塔の地面との境界部分である鉄塔地際部は、図３（ａ）に示すように、下端部がコンクリート基礎台１に埋設された基礎材２（山形鋼（アングル材）からなる。）の上端部に主柱材３（山形鋼（アングル材）からなる。）の下端部を複数本のボルト５で接続した構成とされている。
そのため、土砂や落ち葉の堆積および雨による土の跳ね返り等によって基礎材２のコンクリート基礎台１との境界部分（以下、「地際部材」と称する。）が腐食・発錆するということがあった。
特に、山地に設置された送電鉄塔では、鉄塔地際部は草木に覆われており日当たりが悪いとともに雨天時や雨天後は湿気が逃げ難いため、地際部材（特に、内側の面）が腐食・発錆し易かった。
【０００３】
地際部材の腐食・発錆が進行すると、部材厚の減肉等によって部材強度の低下を招き、送電鉄塔設備の機能が損なわれるため、ワイヤブラシ等で錆を除去したのちにローバル等で地際部材の表面を補修して発錆を抑えていたが、発錆を完全に解消することはできず、ローバル塗布後の内部で腐食が進行しているというケースも少なくなかった。
【０００４】
地際部材が一度腐食および発錆すると、鉄塔基礎のはつり等が生じるため、その改修費用が高額となるので、このような対策は効率的とは言えなかった。
【０００５】
そこで、本出願人は、下記の特許文献１において、送電鉄塔の主柱材および斜材を伝わる雨水を集水して排水するための雨水排水装置を主柱材および斜材に設置するとともに、葉っぱや埃等の塵芥の付着を防ぐための塵芥除けを送電鉄塔のコンクリート基礎部の上部の主柱材近傍に設置することを提案している。
【先行技術文献】
【特許文献】
【０００６】
【特許文献１】特開２００８−１８００３２号公報
【発明の概要】
【発明が解決しようとする課題】
【０００７】
しかしながら、上記の特許文献１で提案した雨水排水装置および塵芥除けは、以下に示すような問題がある。
（１）鉄塔の主柱材および斜材の複数個所に雨水排水装置を設置する必要がある。
（２）塵芥除けは、縦方向および横方向に所定の間隔で組み合わされた複数の鋼線によって構成される網部を第１および第２の保持材で保持する構造であるため、網部を通って網部に覆われた空間内に進入した細かい塵芥が雨水等によって完全に流れ出れば特に問題はないが、流れ出ずに堆積していってしまうと、却って塵芥を取り除くのが難しくなる。
（３）鉄塔地際部が主柱材および塵芥除けで覆われているため、雨水等によって基礎部分が湿潤してしまった場合には、湿気が更に逃げ難くなるため、却って地際部材を腐食させてしまう恐れがある。
【０００８】
本発明の目的は、地際部材の腐食・発錆を抑止することができる鉄塔地際部材腐食防止装置および方法を提供することにある。
【課題を解決するための手段】
【０００９】
本発明の鉄塔地際部材腐食防止装置は、山形鋼からなる主柱材（３）を備えた送電鉄塔の地際部材の腐食・発錆を防止するための鉄塔地際部材腐食防止装置（１０；２０）であって、下面に吐出口（１１ａ；２１ａ）が形成された本体（１１；２１）と、該本体の上に設けられた、かつ、２方向から風を該本体内に取り込むための第１および第２の風取込部（１２Ａ，１２Ｂ；２２Ａ，２２Ｂ）と、前記本体の上部に設けられた、かつ、前記主柱材の外面を伝わって流れ落ちる雨水を前記本体内に取り込むための雨水取込部（１３；２３）と、前記鉄塔地際部材腐食防止装置を前記送電鉄塔の鉄塔地際部の前記主柱材の内側に取り付けるための取付具（１５；２５）とを具備し、前記第１および第２の風取込部で前記本体内に取り込んだ風および前記雨水取込部で該本体内に取り込んだ雨水を前記吐出口から下方に向けて吹き出すことにより、前記鉄塔地際部の通気性を良くするとともに該鉄塔地際部に土砂や落ち葉等を堆積させないようにしたことを特徴とする。
ここで、前記第１および第２の風取込部に、風を取り込むための開口面が形成されており、前記第１および第２の風取込部の前記開口面よりも内側に、蜂や虫等が該第１および第２の風取込部内に入らないようにするための第１および第２の網（１４Ａ，１４Ｂ；２４Ａ，２４Ｂ）が取り付けられており、前記雨水取込部に、雨水を取り込むための他の開口面が形成されており、前記雨水取込部の前記他の開口面近傍に、蜂や虫等が該雨水取込部内に入らないようにするための第３の網（１４Ｃ；２４Ｃ）が取り付けられていてもよい。
前記取付具が、クリップ状の形状を有するとともに、前記第１および第２の風取込部の側面の前記開口面と前記第１および第２の網との間に取り付けられていてもよい。
本発明の鉄塔地際部材腐食防止方法は、本発明の鉄塔地際部材腐食防止装置（１０）と、該鉄塔地際部材腐食防止装置と左右対称な構成の他の鉄塔地際部材腐食防止装置（２０）とを具備し、前記鉄塔地際部材腐食防止装置および前記他の鉄塔地際部材腐食防止装置を前記送電鉄塔の鉄塔地際部の内側の左右にそれぞれ取り付けて、４方向からの風および前記送電鉄塔の前記主柱材の左側および右側の外面を伝わって流れ落ちる雨水を該鉄塔地際部材腐食防止装置および該他の鉄塔地際部材腐食防止装置で取り込んで下方に向けて吹き出すことにより、前記鉄塔地際部の通気性を良くするとともに該鉄塔地際部に土砂や落ち葉等を堆積させないようにしたことを特徴とする。
【発明の効果】
【００１０】
本発明の鉄塔地際部材腐食防止装置および方法は、以下に示す効果を奏する。
（１）上方の２方向からの風および主柱材の外面を伝わって流れ落ちる雨水を本体内に取り込んで下方に向けて吹き出すことにより、鉄塔地際部の通気性を良くするとともに鉄塔地際部に土砂や落ち葉等を堆積させないようにできるため、地際部材の腐食・発錆を抑止することができる。
（２）左右対称な構成の２つの鉄塔地際部材腐食防止装置を用いることにより、上方の４方向からの風および主柱材の外面を伝わって流れ落ちるより多くの雨水を取り込んで下方に向けて吹き出せるため、地際部材の腐食・発錆をより抑止することができる。
（３）鉄塔基礎の清掃の負担軽減および送電鉄塔の改修費用の節約を図ることができる。
（４）風や雨水を利用するため、動力源が不要である。
【図面の簡単な説明】
【００１１】
【図１】本発明の一実施例による鉄塔地際部材腐食防止装置１０の構成について説明するための図であり、（ａ）は鉄塔地際部材腐食防止装置１０の正面図であり、（ｂ）は鉄塔地際部材腐食防止装置１０を鉄塔地際部に取り付けた状態を示す正面図である。
【図２】図１に示した鉄塔地際部材腐食防止装置１０の構成について説明するための図であり、（ａ）は鉄塔地際部材腐食防止装置１０を上方から見た図であり、（ｂ）は第１の風取込部１２Ａの構成を説明するための横断面図であり、（ｃ）は第２の風取込部１２Ｂの構成を説明するための横断面図である。
【図３】図１に示した鉄塔地際部材腐食防止装置１０の取付方について説明するための図であり、（ａ）は鉄塔地際部の基礎材２および主柱材３の内側から見た図であり、（ｂ）は鉄塔地際部の基礎材２および主柱材３の外側から見た図である。
【図４】図１に示した鉄塔地際部材腐食防止装置１０の変形例について説明するための図である。
【図５】図１に示した鉄塔地際部材腐食防止装置１０と左右対称な構成の鉄塔地際部材腐食防止装置２０について説明するための図である。
【図６】図１に示した鉄塔地際部材腐食防止装置１０および図５に示した鉄塔地際部材腐食防止装置２０の取付方について説明するための図であり、（ａ）は鉄塔地際部の基礎材２および主柱材３の内側から見た図であり、（ｂ）は鉄塔地際部の基礎材２および主柱材３の外側から見た図である。
【発明を実施するための形態】
【００１２】
上記の目的を、２つの風取込部および雨水取込部で本体内に取り込んだ上方の２方向から風および主柱材の外面を伝わって流れ落ちる雨水を本体の吐出口から下方に向けて吹き出すことにより実現した。
【実施例１】
【００１３】
以下、本発明の鉄塔地際部材腐食防止装置および方法の実施例について図面を参照して説明する。
本発明の鉄塔地際部材腐食防止装置は、本体の上部に２つの風取込部および雨水取込部を備えて、上方の２方向から風を風取込部で本体内に取り込むとともに主柱材の外面を伝わって流れ落ちる雨水を雨水取込部で本体内に取り込んで、取り込んだ風および雨水を本体の吐出口から下方に向けて吹き出すことにより、鉄塔地際部の通気性を良くするとともに鉄塔地際部に土砂や落ち葉等を堆積させないようにしたことを特徴とする。
【００１４】
そのため、本発明の一実施例による鉄塔地際部材腐食防止装置１０（以下、「腐食防止装置１０」と称する。）は、図１（ａ）に示すように、本体１１（装置本体）と、第１および第２の風取込部１２Ａ，１２Ｂと、雨水取込部１３と、第１乃至第３の網１４Ａ〜１４Ｃと、４個の取付具１５と、緩衝材１６（図２（ａ）参照）とを具備する。
【００１５】
ここで、本体１１は、右側面が平面状とされた半円筒状の形状を有する。
本体１１は、下部に向かって横断面積が小さくなるようにされているとともに、図１（ｂ）に示すように、腐食防止装置１０を鉄塔地際部に取り付けた際にボルト５のボルト頭と干渉しないようにされている。
本体１１の上には、２方向から風を取り込むための第１および第２の風取込部１２Ａ，１２Ｂが設けられており、本体１１の上部には、主柱材３の外面を伝わって流れ落ちる雨水を取り込むための雨水取込部１３が設けられているとともに、本体１１の下面には、第１および第２の風取込部１２Ａ，１２Ｂで取り込んだ風および雨水取込部１３で取り込んだ雨水を下方に向けて吹き出すための吐出口１１ａが設けられている。
なお、本体１１と第１および第２の風取込部１２Ａ，１２Ｂと雨水取込部１３とは一体的に構成されている。
【００１６】
第１の風取込部１２Ａは、図２（ａ），（ｂ）に示すように、右側面が平面状とされ、左側面が凸曲面状とされるとともに上下面が閉じられた半円筒状の形状を有する。
第１の風取込部１２Ａの右側面の手前側には、風を取り込むための矩形状の開口面が形成されている。すなわち、第１の風取込部１２Ａの開口面は、腐食防止装置１０を鉄塔地際部の基礎材２および主柱材３の内側（以下、「鉄塔地際部内側」と称する。）に取り付けた際に基礎材２および主柱材３から突出して右側を向くように形成されている。
第１の風取込部１２Ａの右側面の中央部には、腐食防止装置１０を鉄塔地際部内側に取り付ける際に主柱材３との間に緩衝材１６を介在させるために、奥側（開口面が形成された以外の部分）が手間側よりも左側になるように段差が設けられている。
第１の風取込部１２Ａの開口面から取り込んだ風を本体１１内に取り込ませるために、本体１１と第１の風取込部１２Ａとは、両者の接合面にそれぞれ形成された貫通孔を介して連通されている。
【００１７】
第２の風取込部１２Ｂは、第１の風取込部１２Ａの上に設けられており、図２（ａ），（ｃ）に示すように、表面および右側面が平面状とされ、裏面が凹曲面状とされるとともに上下面が閉じられた１／４円筒状の形状を有する。
第２の風取込部１２Ｂの表面には、風を取り込むための矩形状の開口面が形成されている。すなわち、第２の風取込部１２Ｂの開口面は、腐食防止装置１０を鉄塔地際部内側に取り付けた際に基礎材２および主柱材３の端部面と略同一平面上に位置して手前側（正面側）を向くように形成されている。
第２の風取込部１２Ｂの右側面の手前側には、腐食防止装置１０を鉄塔地際部内側に取り付ける際に主柱材３との間に緩衝材１６を介在させるために、奥側が手間側よりも左側になるように段差が設けられている。
第２の風取込部１２Ｂの開口面から取り込んだ風を第１の風取込部１２Ａを介して本体１１に取り込ませるために、第１の風取込部１２Ａと第２の風取込部１２Ｂとは、両者の接合面にそれぞれ形成された貫通孔を介して連通されている。
【００１８】
なお、風をより効率的に取り込むために、第１および第２の風取込部１２Ａ，１２Ｂの開口面にフードを取り付けてもよい。
【００１９】
雨水取込部１３は、図１（ａ）および図２（ａ）に示すように、本体１１の上部（すなわち、第２の風取込部１２Ｂよりも下方）の右側面に所定の間隔（基礎材２の厚さと主柱材３の厚さとの加算値と略同じ値の間隔）を空けて設けられている。
雨水取込部１３は、上部が矩形管状とされた筒状の形状を有する。
雨水取込部１３の上面には、主柱材３の外面を伝わって流れ落ちる雨水を取り込むための矩形状の開口面が形成されている。すなわち、雨水取込部１３の開口面は上方を向くように形成されている。
雨水取込部１３の開口面から取り込んだ雨水を本体１１内に取り込ませるために、本体１１と雨水取込部１３とは、両者の接合面にそれぞれ形成された貫通孔を介して連通されている。
なお、基礎材２や主柱材３とより密着させて効率的に雨水を取り込めるように、雨水取込部１３の開口面近傍の裏面（本体１１側の面）に磁石を取り付けてもよい。
【００２０】
第１および第２の網１４Ａ，１４Ｂは、蜂や虫等が第１および第２の風取込部１２Ａ，１２Ｂ内に入らないようにするためのものであり、第１および第２の風取込部１２Ａ，１２Ｂの開口面よりも内側にそれぞれ取り付けられている。
同様に、第３の網１４Ｃは、蜂や虫等が雨水取込部１３内に入らないようにするためのものであり、雨水取込部１３の開口面近傍に取り付けられている。
【００２１】
取付具１５は、クリップ状の形状を有し、図１（ｂ）および図２（ｂ），（ｃ）に示すように基礎材２および主柱材３の端部を挟み込んで腐食防止装置１０を鉄塔地際部内側に取り付けるためのものである。
取付具１５は、第１の風取込部１２Ａの左側面の上部および下部にパイラック等を用いて１個ずつ取り付けられているとともに、第２の風取込部１２Ｂの右側面の上部および下部にパイラック等を用いて１個ずつ取り付けられている。
そのため、取付具１５を第１および第２の風取込部１２Ａ，１２Ｂに取り付けることができるように、上述したように第１および第２の網１４Ａ，１４Ｂを第１および第２の風取込部１２Ａ，１２Ｂの開口面よりも内側にそれぞれ取り付けている。
【００２２】
腐食防止装置１０の各部の寸法の一例を以下に示す。
（１）装置の全長＝６０ｃｍ程度
（２）本体１１の長さ＝３０ｃｍ程度
（３）本体１１の吐出口１１ａの内径＝１．５ｃｍ程度
（４）第１および第２の風取込部１２Ａ，１２Ｂの開口部の高さ＝１５ｃｍ程度
（５）第１および第２の風取込部１２Ａ，１２Ｂの開口部の幅＝１０ｃｍ程度
（６）雨水取込部１３の開口部の長さ（図２（ａ）図示縦方向の長さ）＝５ｃｍ程度
（７）雨水取込部１３の開口部の幅（図２（ａ）図示横方向の長さ）＝２ｃｍ程度
【００２３】
腐食防止装置１０は、図３（ａ），（ｂ）に示すように、たとえば第１の風取込部１２Ａおよび雨水取込部１３の開口面が基礎材２の外側になり、第１の風取込部１２Ｂの開口面が主柱材３の内側になるとともに本体１１の吐出口１１ａがコンクリート基礎台１から１０ｃｍ程度離れるように、基礎材２および主柱材３の鉄塔地際部内側から見て右側の端部に取付具１５を用いて取り付けられる。
【００２４】
これにより、鉄塔地際部内側から見て右奥から左手前方向および右手前から左奥方向に吹く風を第１および第２の風取込部１２Ａ，１２Ｂによって本体１１内にそれぞれ取り込むとともに、鉄塔地際部内側から見て主柱材３の右側の外面を伝わって流れ落ちる雨水を雨水取込部１３によって本体１１内に取り込んで、取り込んだ風および雨水を本体１１の吐出口１１ａから下方に向けて吹き出すことにより、鉄塔地際部内側に風を当てて乾かすことで地際部材の腐食・発錆の進行を抑えることができるとともに、鉄塔地際部内側に堆積された土砂や落ち葉等（堆積物）を雨水で流すことができる。
【００２５】
なお、図３（ａ）に破線で示すように基礎材２に斜材４が取り付けられている場合には、図４（ａ）に示すように本体１１の下端部を斜材４との干渉を避ける方向に曲げたり、図４（ｂ）に示すように本体１１の下端部に蛇腹状管１７を取り付けたりして、本体１１の吐出口１１ａと斜材４との干渉を防止するようにしてもよい。
特に、蛇腹状管１７を取り付けた場合には、蛇腹状管１７を曲げる方向を自在に変えることができるため、鉄塔地際部内側に風や雨水をより効果的に当てたり流したりすることができる。
【００２６】
また、図５に示すような腐食防止装置１０と左右対称な構成の鉄塔地際部材腐食防止装置２０（以下、「腐食防止装置２０」と称する。）を用いることにより、図６（ａ），（ｂ）に示すように基礎材２および主柱材３の鉄塔地際部内側から見て右側の端部に腐食防止装置１０を取り付けるとともに、基礎材２および主柱材３の鉄塔地際部内側から見て左側の端部に腐食防止装置２０を取り付けることもできる。
【００２７】
これにより、鉄塔地際部内側から見て右奥から左手前方向および右手前から左奥方向に吹く風を腐食防止装置１０の第１および第２の風取込部１２Ａ，１２Ｂによって腐食防止装置１０の本体１１内にそれぞれ取り込み、鉄塔地際部内側から見て左奥から右手前方向および左手前から右奥方向に吹く風を腐食防止装置２０の第１および第２の風取込部２２Ａ，２２Ｂによって腐食防止装置２０の本体２１内に取り込むとともに、鉄塔地際部内側から見て主柱材３の右側の外面を伝わって流れ落ちる雨水を腐食防止装置１０の雨水取込部１３によって腐食防止装置１０の本体１１内に取り込み、鉄塔地際部内側から見て主柱材３の左側の外面を伝わって流れ落ちる雨水を腐食防止装置２０の雨水取込部２３によって腐食防止装置２０の本体２１に取り込むことができるため、より多くの風量で地際部材を乾かしたり、より多くの雨水で鉄塔地際部内側に堆積された土砂や落ち葉等を流したりすることができる。
【００２８】
以上の説明では、主柱材３を基礎材２を介してコンクリート基礎台１に取り付けたが、主柱材３を直接コンクリート基礎台１に取り付ける場合には、本体１１とボルト５との干渉を考慮する必要がないため、本体１１を円筒状としてもよい。
【符号の説明】
【００２９】
１  コンクリート基礎台
２  基礎材
３  主柱材
４  斜材
５  ボルト
１０，２０  腐食防止装置
１１，２１  本体
１１ａ，２１ａ  吐出口
１２Ａ，１２Ｂ，２２Ａ，２２Ｂ  第１および第２の風取込部
１３，１３  雨水取込部
１４Ａ〜１４Ｃ，２４Ａ〜２４Ｃ  第１乃至第３の網
１５，２５  取付具
１６  緩衝材
１７  蛇腹状管
【図１】
2017082547.tif 000003
【図２】
2017082547.tif 000004
【図３】
2017082547.tif 000005
【図４】
2017082547.tif 000006
【図５】
2017082547.tif 000007
【図６】
2017082547.tif 000008